【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】  記録すべき記録情報を記録媒体に記録する情報記録装置において、
連続する前記記録情報を分割して前記記録媒体に記録する場合、当該記録情報における分割タイミングを指定する指定手段と、
前記指定された分割タイミング前の前記記録情報である前部分記録情報と、前記指定された分割タイミング後の前記記録情報である後部分記録情報と、を前記記録媒体に記録する記録手段と、
前記前部分記録情報及び前記後部分記録情報の少なくともいずれか一方が更に分割されることを許可するか否かを示す許可情報を生成する生成手段と、
前記生成された許可情報を前記記録媒体に記録する許可情報記録手段と、
を備えることを特徴とする情報記録装置。
【請求項２】  請求項１に記載の情報記録装置において、
前記許可情報は、
前記前部分記録情報及び前記後部分記録情報のうち少なくともいずれか一方が記録後の前記記録媒体から消去されること及び前記少なくともいずれか一方が更に分割されることを共に許可する旨の第一の状態、
前記少なくともいずれか一方が記録後の前記記録媒体から消去されることは禁止するが前記少なくともいずれか一方が更に分割されることは許可する旨の第二の状態、
又は前記少なくともいずれか一方が記録後の前記記録媒体から消去されること及び前記少なくともいずれか一方が更に分割されることを共に禁止する旨の第三の状態のうちいずれか一つの状態を取ることを特徴とする情報記録装置。
【請求項３】  請求項１又は２に記載の情報記録装置において、
前記記録媒体に記録されている前記許可情報を当該記録媒体から検出する検出手段と、
前記検出した許可情報の内容を変更し、変更許可情報を生成する変更手段と、
前記生成された変更許可情報を前記記録媒体上の前記許可情報に対して上書きすることで当該変更許可情報を当該記録媒体に記録する上書手段と、
を更に備えることを特徴とする情報記録装置。
【請求項４】  記録情報と、当該記録情報を二以上の部分記録情報に分割する編集処理の実行を許可するか否かを示す許可情報と、が記録されている記録媒体から当該許可情報を検出する許可情報検出手段と、
当該検出された許可情報の内容を判別する判別手段と、
前記判別された内容が前記分割処理を許可する旨の内容であるときのみ、前記編集処理を実行する実行手段と、
を備えることを特徴とする情報記録装置。
【請求項５】  請求項４に記載の情報記録装置において、
前記許可情報は、
前記分割後の部分記録情報が前記記録媒体から消去されること及び当該部分記録情報が更に分割されることを共に許可する旨の第一の状態、
前記分割後の部分記録情報が前記記録媒体から消去されることは禁止するが当該部分記録情報が更に分割されることは許可する旨の第二の状態、
又は前記分割後の部分記録情報が前記記録媒体から消去されること及び当該部分記録情報が更に分割されることを共に禁止する旨の第三の状態のうちいずれか一つの状態を取ることを特徴とする情報記録装置。
【請求項６】  請求項４又は５に記載の情報記録装置において、
前記実行手段は、
前記記録情報を分割するタイミングである分割タイミングを指定する指定手段と、
前記記録情報を、前記指定された分割タイミング前の前記記録情報である前部分記録情報と、前記指定された分割タイミング後の前記記録情報である後部分記録情報と、に分割する分割手段と、
分割前に前記記録媒体に記録されていた前記許可情報と同じ内容を有する許可情報を前記前部分記録情報及び前記後部分記録情報の夫々に対して生成し、前記記録媒体に記録する許可情報記録手段と、
を備えることを特徴とする情報記録装置。
【請求項７】  請求項１から６のいずれか一項に記載の情報記録装置において、
前記記録情報は、音楽情報及び音声情報を少なくとも含むオーディオ情報であることを特徴とする情報記録装置。
【請求項８】  請求項１から７のいずれか一項に記載の情報記録装置において、
前記記録媒体は、情報記録が可能なＤＶＤであることを特徴とする情報記録装置。
【請求項９】  記録すべき記録情報を記録媒体に記録する情報記録方法において、
連続する前記記録情報を分割して前記記録媒体に記録する場合、当該記録情報における分割タイミングを指定する指定工程と、
前記指定された分割タイミング前の前記記録情報である前部分記録情報と、前記指定された分割タイミング後の前記記録情報である後部分記録情報と、を前記記録媒体に記録する記録工程と、
前記前部分記録情報及び前記後部分記録情報の少なくともいずれか一方が更に分割されることを許可するか否かを示す許可情報を生成する生成工程と、
前記生成された許可情報を前記記録媒体に記録する識別情報記録工程と、
を備えることを特徴とする情報記録装置。
【請求項１０】  請求項９に記載の情報記録方法において、
前記許可情報は、
前記前部分記録情報及び前記後部分記録情報のうち少なくともいずれか一方が記録後の前記記録媒体から消去されること及び前記少なくともいずれか一方が更に分割されることを共に許可する旨の第一の状態、
前記少なくともいずれか一方が記録後の前記記録媒体から消去されることは禁止するが前記少なくともいずれか一方が更に分割されることは許可する旨の第二の状態、
又は前記少なくともいずれか一方が記録後の前記記録媒体から消去されること及び前記少なくともいずれか一方が更に分割されることを共に禁止する旨の第三の状態のうちいずれか一つの状態を取ることを特徴とする情報記録方法。
【請求項１１】  請求項９又は１０に記載の情報記録方法において、
前記記録媒体に記録されている前記許可情報を当該記録媒体から検出する検出工程と、
前記検出した許可情報の内容を変更し、変更許可情報を生成する変更工程と、
前記生成された変更許可情報を前記記録媒体上の前記許可情報に対して上書きすることで当該変更許可情報を当該記録媒体に記録する上書工程と、
を更に備えることを特徴とする情報記録方法。
【請求項１２】  記録情報と、当該記録情報を二以上の部分記録情報に分割する編集処理の実行を許可するか否かを示す許可情報と、が記録されている記録媒体から当該許可情報を検出する許可情報検出工程と、
当該検出された許可情報の内容を判別する判別工程と、
前記判別された内容が前記分割処理を許可する旨の内容であるときのみ、前記編集処理を実行する実行工程と、
を備えることを特徴とする情報記録方法。
【請求項１３】  請求項１２に記載の情報記録方法において、
前記許可情報は、
前記部分記録情報が前記記録媒体から消去されること及び当該部分記録情報が更に分割されることを共に許可する旨の第一の状態、
前記部分記録情報が前記記録媒体から消去されることは禁止するが前記部分記録情報が更に分割されることは許可する旨の第二の状態、
又は前記部分記録情報が前記記録媒体から消去されること及び前記部分記録情報が更に分割されることを共に禁止する旨の第三の状態のうちいずれか一つの状態を取ることを特徴とする情報記録方法。
【請求項１４】  請求項１２又は１３に記載の情報記録方法において、
前記実行工程は、
前記記録情報を分割するタイミングである分割タイミングを指定する指定工程と、
前記記録情報を、前記指定された分割タイミング前の前記記録情報である前部分記録情報と、前記指定された分割タイミング後の前記記録情報である後部分記録情報と、に分割する分割工程と、
分割前に前記記録媒体に記録されていた前記許可情報と同じ内容を有する許可情報を前記前部分記録情報及び前記後部分記録情報の夫々に対して生成し、前記記録媒体に記録する識別情報記録工程と、
を備えることを特徴とする情報記録方法。
【請求項１５】  一又は複数の記録情報が記録されている記録情報領域と、
各前記記録情報を一又は二以上の部分記録情報に分割する編集処理の実行を許可するか否かを示す許可情報が記録されている許可情報記録領域と、
を備えることを特徴とする記録媒体。
【請求項１６】  請求項１５に記載の記録媒体において、
前記許可情報は、
前記分割後の部分記録情報が前記記録媒体から消去されること及び当該部分記録情報が更に分割されることを共に許可する旨の第一の状態、
前記分割後の部分記録情報が前記記録媒体から消去されることは禁止するが当該部分記録情報が更に分割されることは許可する旨の第二の状態、
又は前記分割後の部分記録情報が前記記録媒体から消去されること及び当該部分記録情が更に分割されることを共に禁止する旨の第三の状態のうちいずれか一つの状態を取ることを特徴とする記録媒体。
【請求項１７】  記録すべき記録情報を記録媒体に記録する情報記録装置に含まれる記録コンピュータを機能させるための記録制御プログラムが記録された情報記録媒体であって、
前記記録コンピュータを、
連続する前記記録情報を分割して前記記録媒体に記録する場合、当該記録情報における分割タイミングを指定する指定手段、
前記指定された分割タイミング前の前記記録情報である前部分記録情報と、前記指定された分割タイミング後の前記記録情報である後部分記録情報と、を前記記録媒体に記録する記録手段、
前記前部分記録情報及び前記後部分記録情報の少なくともいずれか一方が更に分割されることを許可するか否かを示す許可情報を生成する生成手段、及び、
前記生成された許可情報を前記記録媒体に記録する許可情報記録手段、
として機能させることを特徴とする前記記録制御プログラムが記録された情報記録媒体。
【請求項１８】  請求項１７に記載の情報記録媒体において、
前記許可情報は、
前記前部分記録情報及び前記後部分記録情報のうち少なくともいずれか一方が記録後の前記記録媒体から消去されること及び前記少なくともいずれか一方が更に分割されることを共に許可する旨の第一の状態、
前記少なくともいずれか一方が記録後の前記記録媒体から消去されることは禁止するが前記少なくともいずれか一方が更に分割されることは許可する旨の第二の状態、
又は前記少なくともいずれか一方が記録後の前記記録媒体から消去されること及び前記少なくともいずれか一方が更に分割されることを共に禁止する旨の第三の状態のうちいずれか一つの状態を取ることを特徴とする前記記録制御プログラムが記録された情報記録媒体。
【請求項１９】  請求項１７又は１８に記載の情報記録媒体において、
前記記録コンピュータを、
前記記録媒体に記録されている前記許可情報を当該記録媒体から検出する検出手段、
前記検出した許可情報の内容を変更し、変更許可情報を生成する変更手段、及び、
前記生成された変更許可情報を前記記録媒体上の前記許可情報に対して上書きすることで当該変更許可情報を当該記録媒体に記録する上書手段、
として更に機能させることを特徴とする前記記録制御プログラムが記録された情報記録媒体。
【請求項２０】  情報記録装置に含まれる記録コンピュータを、
記録情報と、当該記録情報を二以上の部分記録情報に分割する編集処理の実行を許可するか否かを示す許可情報と、が記録されている記録媒体から当該許可情報を検出する許可情報検出手段、
当該検出された許可情報の内容を判別する判別手段、及び、
前記判別された内容が前記分割処理を許可する旨の内容であるときのみ、前記編集処理を実行する実行手段、
として機能させることを特徴とする記録制御プログラムが記録された情報記録媒体。
【請求項２１】  請求項２０に記載の情報記録媒体において、
前記許可情報は、
前記分割後の部分記録情報が前記記録媒体から消去されること及び当該部分記録情報が分割されることを共に許可する旨の第一の状態、
前記分割後の部分記録情報が前記記録媒体から消去されることは禁止するが当該部分記録情報が分割されることは許可する旨の第二の状態、
又は前記分割後の部分記録情報が前記記録媒体から消去されること及び当該部分記録情報が分割されることを共に禁止する旨の第三の状態のうちいずれか一つの状態を取ることを特徴とする前記記録制御プログラムが記録された情報記録媒体。
【請求項２２】  請求項２０又は２１に記載の情報記録媒体において、
前記実行手段として機能する前記記録コンピュータを、
前記記録情報を分割するタイミングである分割タイミングを指定する指定手段、
前記記録情報を、前記指定された分割タイミング前の前記記録情報である前部分記録情報と、前記指定された分割タイミング後の前記記録情報である後部分記録情報と、に分割する分割手段、及び、
分割前に前記記録媒体に記録されていた前記許可情報と同じ内容を有する許可情報を前記前部分記録情報及び前記後部分記録情報の夫々に対して生成し、前記記録媒体に記録する許可情報記録手段、
として更に機能させることを特徴とする前記記録制御プログラムが記録された情報記録媒体。
【請求項２３】  記録情報を記録媒体に記録する情報記録装置において、
前記記録媒体に記録された連続する前記記録情報を分割する処理を行う場合、当該記録情報における分割タイミングを指定する指定手段と、
前記指定された分割タイミング前の前記記録情報である前部分記録情報と、前記指定された分割タイミング後の前記記録情報である後部分記録情報と、を前記記録媒体に記録する記録手段と、
前記前部分記録情報又は前記後部分記録情報の少なくともいずれか一方が更に分割されることを許可するか否かを示す許可情報を生成する生成手段と、
前記生成された許可情報を前記記録媒体に記録する記録手段と、
を備えることを特徴とする情報記録装置。
【請求項２４】  請求項２３に記載の情報記録装置において、
前記許可情報は、前記前部分記録情報又は前記後部分記録情報の少なくともいずれか一方が消去可能かどうかをさらに示すものであることを特徴とする情報記録装置。
【請求項２５】  請求項２４に記載の情報記録装置において、前記許可情報は、以下のいずれかを示すことを特徴とする情報記録装置。
（１）前記前部分記録情報及び前記後部分記録情報が更に分割されること及び当該分割後に消去されることを共に許可する、
（２）前記前部分記録情報及び前記後部分記録情報が消去されることは禁止するが更に分割されることは許可する、
（３）前記前部分記録情報及び前記後部分記録情報が消去されること及び更に分割されることを共に禁止する。
【請求項２６】  請求項２３乃至２５のいずれか１に記載の情報記録装置において、
前記生成手段は、前記前部分記録情報及び前記後部分記録情報の再生制御情報を生成し、
前記記録手段は、前記許可情報とともに前記再生制御情報を前記記録媒体に記録することを特徴とする情報記録装置。
【請求項２７】  記録情報を記録媒体に記録する情報記録方法において、
前記記録媒体に記録された連続する前記記録情報を分割する処理を行う場合、当該記録情報における分割タイミングを指定する指定工程と、
前記指定された分割タイミング前の前記記録情報である前部分記録情報と、前記指定された分割タイミング後の前記記録情報である後部分記録情報と、を前記記録媒体に記録する記録工程と、
前記前部分記録情報又は前記後部分記録情報の少なくともいずれか一方が更に分割されることを許可するか否かを示す許可情報を生成する生成工程と、
前記生成された許可情報を前記記録媒体に記録する記録工程と、
を含むことを特徴とする情報記録方法。
【請求項２８】  請求項２７に記載の情報記録方法において、
前記許可情報は、前記前部分記録情報又は前記後部分記録情報の少なくともいずれか一方が消去可能かどうかをさらに示すものであることを特徴とする情報記録方法。
【請求項２９】  請求項２８に記載の情報記録方法において、前記許可情報は、以下のいずれかを示すことを特徴とする情報記録方法。
（１）前記前部分記録情報及び前記後部分記録情報が更に分割されること及び当該分割後に消去されることを共に許可する、
（２）前記前部分記録情報及び前記後部分記録情報が消去されることは禁止するが更に分割されることは許可する、
（３）前記前部分記録情報及び前記後部分記録情報が消去されること及び更に分割されることを共に禁止する。
【請求項３０】  請求項２７乃至２９のいずれか１に記載の情報記録方法において、
前記生成工程においては、前記前部分記録情報及び前記後部分記録録情報の再生制御情報を生成し、
前記記録工程においては、前記許可情報とともに前記再生制御情報を前記記録媒体に記録することを特徴とする情報記録方法。
【手続補正２】
【補正対象書類名】明細書
【補正対象項目名】００５６
【補正方法】変更
【補正の内容】
【００５６】
よって、分割編集処理が許可されているとき、任意の分割タイミングで記録情報を分割することができる。
上記の課題を解決するために、請求項２３に記載の発明は、記録情報を記録媒体に記録する情報記録装置において、前記記録媒体に記録された連続する前記記録情報を分割する処理を行う場合、当該記録情報における分割タイミングを指定する操作部等の指定手段と、前記指定された分割タイミング前の前記記録情報である前部分記録情報と、前記指定された分割タイミング後の前記記録情報である後部分記録情報と、を前記記録媒体に記録する記録手段と、前記前部分記録情報又は前記後部分記録情報の少なくともいずれか一方が更に分割されることを許可するか否かを示す許可情報を生成するシステムコントローラ等の生成手段と、前記生成された許可情報を前記記録媒体に記録するピックアップ等の記録手段と、を備える。
上記の課題を解決するために、請求項２７に記載の発明は、記録情報を記録媒体に記録する情報記録方法において、前記記録媒体に記録された連続する前記記録情報を分割する処理を行う場合、当該記録情報における分割タイミングを指定する指定工程と、前記指定された分割タイミング前の前記記録情報である前部分記録情報と、前記指定された分割タイミング後の前記記録情報である後部分記録情報と、を前記記録媒体に記録する記録工程と、前記前部分記録情報又は前記後部分記録情報の少なくともいずれか一方が更に分割されることを許可するか否かを示す許可情報を生成する生成工程と、前記生成された許可情報を前記記録媒体に記録する記録工程と、を含む。